(57)【要約】【課題】据付けが容易で、取付けた後天井パネルを外すことなく、本体の高さ調整を可能とした天井埋込型空気調和機の据付装置を提供する。【解決手段】吊りボルト１に対応する挿通孔２ａを有し、本体３両側から水平に突出する掛止部２ｂと取付部２ｃを有する取付金具２を、本体の両側面に夫々前後に対を成して配設し、挿通孔に吊りボルトを挿通し、その下面をナット４で締結して本体を懸架支持するものにおいて、一対の掛止部の上面に、挿通孔に対向し、挿通孔と略同径の貫通孔５ａを有し、中央部にネジ孔５ｂを備えた支持板５を設け、本体の両側面の下端を保持する保持部６ａと、支持板に相対向して水平に突出する水平部６ｂを有し、水平部にネジ孔に相対向する透孔６ｃを備えた吊り金具６を設け、透孔に調整用ボルト７を挿通し、調整用ボルトの先端部を支持板のネジ孔に螺着し、調整用ボルトを調整することにより、本体の取付け高さを調整可能にした。【選択図】  図１
2004279011.tif 000002
【特許請求の範囲】
【請求項１】
天井面下に架設された吊りボルトに対応する挿通孔を有し、本体両側から水平に突出する掛止部と取付部を有する取付金具を、本体の両側面に夫々前後に対を成して配設し、前記挿通孔に前記吊りボルトを挿通するとともに、その下面をナットで締結することにより本体を懸架支持する天井埋込型空気調和機の据付装置において、
前記一対の掛止部の上面に、前記挿通孔に対向し、同挿通孔と略同径の貫通孔を有し、中央部にネジ孔を備えた支持板を設けるとともに、前記本体の両側面の下端を保持する凹状の保持部と、同保持部の上端に連接し、前記支持板に相対向して水平に突出する水平部を有し、同水平部に前記ネジ孔に相対向する透孔を備えた吊り金具を設け、前記透孔に下端にボルト頭を有する調整用ボルトを挿通し、同調整用ボルトの先端部を前記支持板のネジ孔に螺着し、前記調整用ボルトを調整することにより、前記本体の取付け高さを調整可能にしてなることを特徴とする天井埋込型空気調和機の据付装置。
【発明の詳細な説明】
【０００１】
【発明の属する技術分野】
本発明は天井埋込型空気調和機の据付装置に係り、詳しくは空気調和機の据付けが容易で、取付けた後天井パネルを外すことなく、本体の高さ調整を可能とした据付金具の構造に関する。
【０００２】
【従来の技術】
従来の天井埋込型空気調和機の据付装置は図３に示すようなものが知られている（例えば、特許文献１参照）。
図３において、３４ａは天井裏の梁などより吊り下げられた吊りボルトであり、空気調和機１’の長手方向で配管導出部２０とドレンソケット導出部２１側にあり、３４ｂはこれに相対する側に配設している。３５は吊りボルト３４ａ，３４ｂにねじ込まれた下側のナットである。３６は吊りボルト３４ａ，３４ｂにねじ込まれた上側のナットであり、この上下のナットにより吊金具１９を挟着し固定する。３７は多曲された略Ｔ字形状の吊治具であり、上面の平面部の長手方向に略Ｕ字形状で同方向に解放方向を呈した溝が両端に配設してあり、この溝間隔は空気調和機１の複数個の吊金具１９のピッチとほぼ同間隔である。また強度を必要とするため隣り合う辺を曲げてある。吊治具３７の下面は取手部３０の幅より僅かに小さい幅で、取手部３０を引っ掛けられる様端部は概上方向を呈し曲げてある。吊治具３７の上面部と下面部を略Ｔ字形状の板で多曲して作成し軽量で持ちやすくしている。
【０００３】
そして、上記のように構成された空気調和機１’の施工作業は、図３に示すように、天井裏の梁などに吊りボルト３４ａ，３４ｂをセットし、吊りボルト３４ａ間のピッチを吊治具３７に表示された寸法で固定する。吊りボルト３４ｂ間のピッチも吊治具３７に表示された寸法で固定する。また下側ナット３５と上側ナット３６は間隔を設けセットする。次に吊治具３７を吊りボルト３４ｂの上側ナット３６の上部に引っかける。次に空気調和機の配管導出部２０とドレンソケット導出部２１と相対する側の取手部３０を吊治具３７に引っかけ板固定状態にし、空気調和機の配管導出部２０とドレンソケット導出部２１側の吊金具１９を吊りボルト３４ａの下側ナット３５に乗せ上側ナット３６と共に挟着し固定する。次に取手部３０と吊治具３７の仮固定を外し、こちら側の吊金具１９を吊りボルト３４ｂの下側ナット３５に乗せ上側ナット３６と共に挟着し固定する。空気調和機本体１’が吊りボルト３４ａ，３４ｂに固定された後に、化粧パネル３を装着する。
【０００４】
以上のように、空気調和機の上半分を構成する台枠６と下半分を構成する水受皿１６を合成樹脂で形成し、台枠６の長手方向両側面に複数個の吊金具１９を設け、また水受皿１６の長手方向両側面には取手部３０を設けた天井埋込形空気調和機において、天井裏の梁等にねじ部を備えて複数のナット及びワッシャーを装着した吊りボルトと、前記の取手部３０を連絡させ仮固定させる吊治具３７を設ける事により、１人で空気調和機の吊り込み作業をするときに、片側が簡単に仮固定でき、吊金具１９と吊りボルト３４ａ及び３４ｂのセットは片側ずつ目視しながら確実にでき、吊り込み作業が容易となり施工性が向上する。また吊治具３７には、空気調和機の短方向と平行に略Ｕ字形状の溝が解放方向を同方向に呈し両端に配設してあるため、吊りボルト３４ａ，３４ｂへの装着が容易にでき、空気調和機の吊り込み作業時左右に揺れても吊りボルトより外れることがない上、外す場合は一方法へ移動するだけで外すことができる。
【０００５】
しかしながら、上記構成において、本体１’を吊下げ、化粧パネル３を装着した後、例えば、化粧パネル３と天井に隙間があり、本体１’の高さを調整する場合には、化粧パネル３を外さなければならず、容易に空気調和機本体１’の高さを調整することができない。
【０００６】
【特許文献１】
特開平１０−２０５８７９号公報（第３〜５頁、第３図）
【０００７】
【発明が解決しようとする課題】
本発明は、上記従来の問題点に鑑みなされたもので、据付けが容易で、取付けた後天井パネルを外すことなく、本体の高さ調整を可能とした天井埋込型空気調和機の据付装置を提供することを目的とする。
【０００８】
【課題を解決するための手段】
本発明は、上記課題を解決するために、天井面下に架設された吊りボルトに対応する挿通孔を有し、本体両側から水平に突出する掛止部と取付部を有する取付金具を、本体の両側面に夫々前後に対を成して配設し、前記挿通孔に前記吊りボルトを挿通するとともに、その下面をナットで締結することにより本体を懸架支持する天井埋込型空気調和機の据付装置において、
前記一対の掛止部の上面に、前記挿通孔に対向し、同挿通孔と略同径の貫通孔を有し、中央部にネジ孔を備えた支持板を設けるとともに、前記本体の両側面の下端を保持する凹状の保持部と、同保持部の上端に連接し、前記支持板に相対向して水平に突出する水平部を有し、同水平部に前記ネジ孔に相対向する透孔を備えた吊り金具を設け、前記透孔に下端にボルト頭を有する調整用ボルトを挿通し、同調整用ボルトの先端部を前記支持板のネジ孔に螺着し、前記調整用ボルトを調整することにより、前記本体の取付け高さを調整可能にしてなる構成となっている。
【０００９】
【発明の実施の形態】
本発明の実施の形態を添付図面を参照して詳細に説明する。
図１は、本発明による天井埋込型空気調和機の据付装置の図で、（Ａ）は斜視図、（Ｂ）は（Ａ）のＡ部断面図、（Ｃ）は（Ａ）のａ−ａ部断面図であり、図２は、支持板と吊り金具の要部拡大説明図である。
図１、図２において、天井（図示せず）の面下には、複数（本実施例では４本）の吊りボルト１が架設されている。また、この吊りボルト１に対応する挿通孔２ａを有し、本体３の両側から水平に突出する掛止部２ｂと取付部２ｃを有する取付金具２を、本体３の両側面に夫々前後に対を成して配設し、前記挿通孔２ａに前記吊りボルト１を挿通するとともに、その下面をナット４で締結することにより本体を懸架支持する天井埋込型空気調和機の据付装置が構成されている。
【００１０】
前記本体３の両側の夫々前後一対の取付金具２の掛止部２ｂの上面に、前記挿通孔２ａに夫々相対向し、同挿通孔２ａと略同径の貫通孔５ａを有し、中央部にネジ孔５ｂを備えた支持板５を設けるとともに、前記本体３の両側面の下端を保持する凹状の保持部６ａと、同保持部６ａの上端に連接し、前記支持板５に相対向して水平に突出する水平部６ｂを有し、同水平部６ｂに前記ネジ孔５ｂに相対向する透孔６ｃを備えた吊り金具６を設け、前記透孔６ｃに下端にボルト頭７ａを有する調整用ボルト７を設けた構成となっている。
【００１１】
上記構成において、次にその取付け手順を説明する。
まず、前記本体３両側の一対の吊りボルト１に、前記支持板５の貫通孔５ａを挿入した後、前記本体３の両側面に取付けられた取付金具２の掛止部２ｂの挿通孔２ａを挿入する。そして、前記掛止部２ｂの下面より、ナット４で締結することにより本体を懸架支持する。
次に、前記調整用ボルト７の先端を前記吊り金具６の透孔６ｃに挿通し、前記調整用ボルト７の先端部を前記支持板５のネジ孔５ｂに螺着し、前記調整用ボルト７を調整することにより、前記本体３の取付け高さを調整可能にすることができる。
【００１２】
以上に説明したように、前記本体３の両側の夫々前後一対の取付金具２の掛止部２ｂの上面に、前記挿通孔２ａに夫々相対向し、同挿通孔２ａと略同径の貫通孔５ａを有し、中央部にネジ孔５ｂを備えた支持板５を設けるとともに、前記本体３の両側面の下端を保持する凹状の保持部６ａと、同保持部６ａの上端に連接し、前記支持板５に相対向して水平に突出する水平部６ｂを有し、同水平部６ｂに前記ネジ孔５ｂに相対向する透孔６ｃを備えた吊り金具６を設け、前記透孔６ｃに下端にボルト頭７ａを有する調整用ボルト７を設けた構成とすることにより、据付けが容易で、取付けた後天井パネルを外すことなく、本体の高さ調整を可能とした天井埋込型空気調和機の据付装置となる。
【００１３】
【発明の効果】
以上のように本発明においては、取付金具の掛止部の上面に支持板を設け、支持板に相対向して水平に突出する水平部を有し、同水平部にネジ孔に相対向する透孔を備えた吊り金具を設け、透孔に下端にボルト頭を有する調整用ボルトを設けた構成とすることにより、据付けが容易で、取付けた後天井パネルを外すことなく、本体の高さ調整を可能とした天井埋込型空気調和機の据付装置となる。
【図面の簡単な説明】
【図１】（Ａ）は本発明による天井埋込型空気調和機の据付装置の一実施例を示す斜視図、（Ｂ）は（Ａ）のＡ部断面図、（Ｃ）は（Ａ）のａ−ａ部断面図である。
【図２】本発明による支持板と吊り金具の要部拡大説明図である。
【図３】従来の天井埋込型空気調和機の据付装置の一例を示す斜視図である。
【符号の説明】
１  吊りボルト
２  取付金具
２ａ  挿通孔
２ｂ  掛止部
２ｃ  取付部
３  本体
４  ナット
５  支持板
５ａ  貫通孔
５ｂ  ネジ孔
６  吊り金具
６ａ  支持部
６ｂ  水平部
６ｃ  透孔
７  調整用ボルト
７ａ  ボルト頭
【図１】
2004279011.tif 000003
【図２】
2004279011.tif 000004
【図３】
2004279011.tif 000005